(57)【特許請求の範囲】
【請求項１】
番組を構成するデジタルデータを記録することができるアクセスが高速な第１の記憶手段と、
前記番組を構成するデジタルデータを記録することができ、前記第１の記憶手段よりもアクセスが低速な第２の記憶手段と、
前記第１の記憶手段及び／又は前記第２の記憶手段への前記デジタルデータの記録を選択的に行う制御手段と、
前記番組の中から視聴者が所望の番組を予約するためのタイマー手段とからなる記録再生装置であって、
前記タイマー手段によって前記所望の番組が予約記録された場合、前記制御手段は記録開始時刻以前に前記第２の記憶手段の記録準備が完了するように制御して、記録開始時刻となったときに前記第１の記憶手段及び前記第２の記憶手段に前記所望の番組の記録を同時に行うように制御し、前記所望の番組の時間よりも短い所定の時間が経過したとき、前記第１の記憶手段への記録を停止し、前記所望の番組が終了したときに前記第２の記憶手段への記録を終了するように制御を行い、
視聴者が突発的に所望の番組の記録指示を行った場合、前記制御手段は前記第２の記憶手段の記録準備が完了するまでの間、前記第１の記憶手段にて前記所望の番組の記録を行うように制御し、前記第２の記憶手段の記録準備が完了した後は前記第２の記憶手段によって前記所望の番組の記録を行うことを特徴とする記録再生装置。
【請求項２】
前記第２の記憶手段に使用する記憶媒体が交換可能であり、前記所望の番組が前記第２の記憶手段に使用されている一つの記憶媒体に時間的に記録不可能であるとき、
前記所望の番組を記録する前記第２の記憶手段における記憶媒体の交換動作の間には前記第１の記憶手段によって記録を行うことを特徴とする請求項１に記載の記録再生装置。
【請求項３】
前記第１の記憶手段の記憶容量が不足したときに、前記第１の記憶手段に記録された番組に対して前記番組の消去優先度に応じてフラグを付し、前記消去優先度の高い番組から消去を行うことを特徴とする請求項１又は請求項２に記載の記録再生装置。
【発明の詳細な説明】
【０００１】
【発明の属する技術分野】
本発明は、記録再生装置に係り、特にアクセス時間や記憶容量が異なる複数の記憶装置を使用して画像及び音声を記録する場合、両者の特徴を生かして高速な操作性や記録媒体交換を意識させないで再生可能な記録再生装置に関する。
【０００２】
【従来の技術】
近年、放送電波をデジタル化し、高画質化、高音質化、多チャンネル化、データ放送への対応等、サービスの向上を目指して開発が行われている。そのため、このような放送電波を受信する側の機器としては、新たにデジタルデータに対応する必要があり、更に、このようなデジタルデータを記録するための録画装置が必要となる。
【０００３】
ところで、録画装置を構成するための記憶装置として、一般的には磁気テープを使用するＶＴＲや光ディスク等を使用するディスク装置が考えられるが、記録するデータがデジタルデータであることを考慮すると、ハードディスクドライブ（ＨＤＤ）を使用することも可能である。これらの記憶媒体にはそれぞれの性能に長所及び短所がある。例えば、磁気テープは記憶容量が大きいという長所があるが、所望の位置へのアクセスが困難であるという短所がある。また、光ディスクはある程度の記憶容量を持っており、所望の位置へのアクセスもある程度高速であるという長所があるが、記録に要する時間が長いとう短所がある。更に、ＨＤＤは高速なアクセスが可能であるという長所があるが、媒体の交換が困難であることから記憶容量が小さいという短所がある。
【０００４】
そこで、複数の記憶装置を階層的に使用することで、それぞれの長所を生かして記録速度、記憶容量、高速アクセスに関する条件を満たすことが可能となる。
【０００５】
例えば、特開平８−２９２８４２号には、低価格、低速、大容量の媒体自動交換機構を有する光ディスク装置と高価格、高速、小容量の半導体で構成され、出力バッファとして作用するメモリの間に、それらの中間的な性質を持つハードディスクを設けるビデオサーバが開示されている。
【０００６】
このように、画像及び音声を再生する場合、高速なＨＤＤで一旦再生し、ＶＴＲやディスク装置等における再生準備が整ったときに、これらの機器に再生を切り替えることで素早く画像が表示され、操作性が向上する。
【０００７】
【発明が解決しようとする課題】
しかしながら、上述した記録再生装置を利用して画像及び音声を記録する場合、以下のような問題がある。
【０００８】
このように複数の記憶装置を階層的に使用する記録再生装置では、上述したように再生時における出画速度の向上やアクセス時間の短縮、記憶媒体の容量及び価格を考慮したもので、この記録再生装置に番組を記録する場合、大容量で低速の記録が可能で、価格が比較的安いテープやディスク等の記憶媒体に直接記録しており、複数の記憶装置を階層的に使用することはなかった。
【０００９】
そこで、本発明に係る記録再生装置では、記録する番組の放送チャンネル、番組の放送日、番組の開始時刻、番組の時間（長さ）が予め指定される所謂予約記録時と、通常の記録時とで記録方法を工夫し、快適な操作性を提供することを目的とする。
【００１０】
【課題を解決するための手段】
上述した課題を解決するために、番組を構成するデジタルデータを記録することができるアクセスが高速な第１の記憶手段７と、前記番組を構成するデジタルデータを記録することができ、前記第1の記憶手段７よりもアクセスが低速な第２の記憶手段６と、前記第１の記憶手段７及び／又は前記第２の記憶手段６への前記デジタルデータの記録を選択的に行う制御手段１２と、前記番組の中から視聴者が所望の番組を予約するためのタイマー手段１７とからなる記録再生装置であって、前記タイマー手段１７によって前記所望の番組が予約記録された場合、前記制御手段１２は記録開始時刻以前に前記第２の記憶手段６の記録準備が完了するように制御して、記録開始時刻となったときに前記第１の記憶手段７及び前記第２の記憶手段６に前記所望の番組の記録を同時に行うように制御し、前記所望の番組の時間よりも短い所定の時間が経過したとき、前記第１の記憶手段７への記録を停止し、前記所望の番組が終了したときに前記第２の記憶手段６への記録を終了するように制御を行い、視聴者が突発的に所望の番組の記録指示を行った場合、前記制御手段１２は前記第２の記憶手段６の記録準備が完了するまでの間、前記第１の記憶手段７にて前記所望の番組の記録を行うように制御し、前記第２の記憶手段６の記録準備が完了した後は前記第２の記憶手段６によって前記所望の番組の記録を行うことを特徴とする記録再生装置を提供するものである。
【００１１】
また、前記第２の記憶手段６に使用する記憶媒体１５が交換可能であり、前記所望の番組が前記第２の記憶手段６に使用されている一つの記憶媒体１５に時間的に記録不可能であるとき、前記所望の番組を記録する前記第２の記憶手段６における記憶媒体１５の交換動作の間には前記第１の記憶手段７によって記録を行うことを特徴とする記録再生装置を提供するものである。
【００１２】
更に、前記第１の記憶手段の記憶容量が不足したときに、前記第１の記憶手段に記録された番組に対して前記番組の消去優先度に応じてフラグを付し、前記消去優先度の高い番組から消去を行うことを特徴とする記録再生装置を提供するものである。
【００１４】
【発明の実施の形態】
以下、本発明に係る記録再生装置の一実施例について図面を参照して説明する。
図１は本発明に係る記録再生装置を含むシステムを示す図である。まず、放送衛星１（放送源）からのデジタル放送波を放送アンテナ２で受信し、放送受信機３で受信する。このとき、デジタル放送波によって送信されているデータがＭＰＥＧ等の方式によって符号化されている場合には放送受信機３で復号化し、ＴＶモニタ４に画像及び音声を供給する。なお、放送源としては上述した放送衛星１だけでなく、地上波やケーブル等も採用可能である。
【００１５】
視聴者が所望の番組については、記録再生装置５によって記録を行う。記録された番組についてはＴＶモニタ４によって視聴可能であるが、デジタル放送波がＭＰＥＧ等の方式によって符号化された状態で記録再生装置５に記録されている場合には、再生時に放送受信機３によって復号化する必要がある。記録再生装置５はＤＶＤ装置６等の記憶媒体が大容量（交換によるものを含む）で安価である記憶装置と、この記憶装置よりも記憶媒体が小容量で高価であり、アクセスの早いＨＤＤ７等の記憶装置との組み合わせによって構成されている。当然、ＨＤＤ７よりも小容量で高価であり、アクセスの早いメモリを使用した記憶装置や、ＤＶＤ装置６等のディスクを使用した記憶装置よりも大容量で安価であるＶＴＲ等のテープ状記憶媒体を使用した記憶装置を組み合わせても良い。
【００１６】
次に、本発明に係る記録再生装置の一実施例について図２を参照して説明する。図１における放送受信機３からシリアルインターフェース１１を介して画像データ及び音声データを入力する。これらのデータはメインコントローラ１２を介して第1記憶装置であるＨＤＤ７に記憶されており、ＨＤＤコントローラー１９によって制御されている。同様に画像データ及び音声データはメインコントロラを介して第２記憶装置であるＤＶＤ１５に記憶されており、ＤＶＤコントローラ１３によって制御されている。なお、本実施例では総記憶容量を増加させるために、複数枚（ここでは３枚）のＤＶＤ１５に記憶を行えるようにオートチェンジャー機能を設けてあり、その制御はＤＶＤ制御１４で行われている。
【００１７】
また、この記録再生装置５を統括して制御しているマイクロプロセッサ１８がメインコントローラ１２に接続されている。マイクロプロセッサ１８では、番組の録画予約情報を記憶する予約メモリ１６と録画時刻を検出する時計及びタイマー１７を管理している。
【００１８】
図３は本発明に係る記録再生装置における記録動作を示す図である。図３（ａ）は放送受信機３による録画指示や視聴者による突発的な録画指示によって番組の録画を開始する場合の記録動作であり、記録再生装置５側では事前に番組の録画開始時刻がわからない場合である。まず、放送受信機３や視聴者から録画指示があり、これに従ってデータストリームを放送受信機３で受信して録画動作に移行する。ここで、ＤＶＤ装置６は回転の立ち上がり時間やサーボがかかる時間等があり、即時に記憶動作に移行することができない（期間１０１）。そこで、この間（期間１０１）はアクセスが高速なＨＤＤ７によって記憶動作を行う。この期間（期間１０１）は短時間であり、ＨＤＤ７の容量を圧迫するほどではない。そして、ＤＶＤ装置６での記憶準備が完了した後、ＤＶＤ装置６での記憶動作を行う（期間１０２）。従って、図３（ａ）に示す記録再生装置ではデータストリームの冒頭がＨＤＤ７に記憶され、その後ＤＶＤ１５に記憶されることとなる。
【００１９】
一方、図３（ｂ）は記録再生装置５に設けた予約メモリ１６と時計及びタイマー１７によって番組の予約開始時刻が事前に分かっている場合である。まず、記録再生装置５に設けた予約メモリ１６によって視聴者が所望の番組の予約録画を設定する。ＤＶＤ装置６は回転の立ち上がり時間やサーボがかかる時間等があり、即時に記憶動作に移行することができないので、予約録画の開始時刻からＤＶＤ装置６での記憶準備が行われる時間（期間２０１）を遡って記憶準備を開始し、予約録画の開始時刻になったとき、放送受信機３からデータストリームを受信してＨＤＤ７及びＤＶＤ装置６で同時に記憶動作を開始する。なお、ＤＶＤ装置６の記憶準備とはスピンドルモータを回転させ、サーボをかけて一時停止状態にしておくことである。
【００２０】
そして所定時間（期間２０２）経過後にＨＤＤ７への記憶動作を停止するが、ＤＶＤ装置６への記憶動作は予約録画終了時刻まで継続して行う。従って、図３（ｂ）に示す記録再生装置ではデータストリームの冒頭がＨＤＤ７とＤＶＤ１５の両方に記憶され、その後はＤＶＤ１５のみに記憶されることとなる。
【００２１】
次に、上述した記録再生装置５によって記録された番組を再生するときの動作を説明する。図３（ａ）に示すように、放送受信機による録画指示や視聴者による突発的な録画指示によって番組の録画を開始するような記録方法によって番組が記録されたとき、この番組の再生方法は以下の通りとなる。上述した方法で記録された番組が視聴者によって再生指示された場合、ＤＶＤ装置６には回転の立ち上がり時間やサーボがかかる時間があるため瞬時に再生状態にならないので、高速アクセスが可能なＨＤＤ７に記憶してある番組の冒頭部分から再生を開始し、ＤＶＤ装置６によって記憶されている部分に到達し、且つ、ＤＶＤ装置６の再生準備が完了した段階で、番組の再生をＤＶＤ装置６に切り替える。
【００２２】
同様に図３（ｂ）に示すように、記録再生装置５に設けた予約メモリ１６とタイマー１７によって番組の予約開始時刻が事前に分かっている場合に番組が予約録画されたとき、この番組の再生方法は図４に示す通りとなる。上述した方法で記録された番組が視聴者によって再生指示された場合、ＤＶＤ装置６には回転の立ち上がり時間やサーボがかかる時間があるため瞬時に再生状態にならないので、高速アクセスが可能なＨＤＤ７に記憶してある番組の冒頭部分から再生を開始し、ＤＶＤ装置６の再生準備が完了した段階で、番組の再生をＤＶＤ装置６に切り替える。この場合、ＤＶＤ１５には番組の冒頭から記録が行われているので、ＤＶＤ装置６の再生準備が完了したらすぐにＨＤＤ７からＤＶＤ装置６へと再生を切り替えることが可能である。また、ＨＤＤ７が故障した場合やＨＤＤ７の記憶内容が破壊された場合、番組を記録したＤＶＤ１５を他の再生装置で再生する場合でも、出画が遅くなるものの番組の再生が可能となる。
【００２３】
次に、録画時間が長時間となり、一枚のＤＶＤ１５に記憶不可能である場合に、複数のＤＶＤ１５（本実施例では３枚）を横断して記憶を行うことが考えられる。録画開始時には上述したように二種類の方法がある。
【００２４】
一つは、図５（ａ）に示すように、放送受信機３による録画指示や視聴者による突発的な録画指示によって番組の録画を開始する場合の記録動作であり、記録再生装置５側では事前に番組の録画開始時刻がわからない場合である。まず、放送受信機３や視聴者から録画指示があり、これに従ってデータストリームを放送受信機３で受信して録画動作に移行する。ここで、ＤＶＤ装置６は回転の立ち上がり時間やサーボがかかる時間等があり、即時に記憶動作に移行することができない（期間３０１）。そこで、この間（期間３０１）はアクセスが高速なＨＤＤ７によって記憶動作を行う。この期間（期間３０１）は短時間であり、ＨＤＤ７の容量を圧迫するほどではない。そして、ＤＶＤ装置６での記憶準備が完了した後、ＤＶＤ装置６によってディスク１への記憶が行われる（期間３０２）。番組の長さがディスク1の記憶時間を超える場合には、ディスクチェンジャによってディスク１からディスク２へとＤＶＤ１５を切り替えるが、その間にもディスクを準備する期間が必要であることから、その間の録画はＨＤＤ７によって行う（期間３０３）。ディスクの切り替えが終了し、ディスク２への記憶準備が完了すると、番組の録画はＨＤＤ７からＤＶＤ装置６へと切り替わり、ディスク２への記憶が行われる（期間３０４）。同様にディスク２からディスク３への切り替えの際にはＨＤＤ７での記憶が行われ（期間３０５）、ディスク３の準備が完了するとＨＤＤ７からＤＶＤ装置６へと番組の録画が切り替わり、ディスク３への記憶が行われる（期間３０６）。
【００２５】
もう一つは、図５（ｂ）に示すように記録再生装置５に設けた予約メモリ１６と時計及びタイマー１７によって番組の予約開始時刻が事前に分かっている場合である。まず、記録再生装置５に設けた予約メモリ１６によって視聴者が所望の番組の予約録画を設定する。ＤＶＤ装置６は回転の立ち上がり時間やサーボがかかる時間等があり、即時に記憶動作に移行することができないので、予約録画の開始時刻からＤＶＤ装置６での記憶準備が行われる時間（期間４０１）を遡って記憶準備を開始し、予約録画の開始時刻になったとき、放送受信機３からデータストリームを受信してＨＤＤ７及びＤＶＤ装置６で同時に記憶動作を開始する。なお、ＤＶＤ装置６の記憶準備とはスピンドルモータを回転させ、サーボをかけて一時停止状態にしておくことである。
【００２６】
そして所定時間（期間４０２）経過後にＨＤＤ７への記憶動作を停止するが、ＤＶＤ装置６への記憶動作は予約録画終了時刻まで継続して行う。ＤＶＤ装置６ではディスク１への記憶が行われる（期間４０３）が、番組の長さがディスク1の記憶時間を超える場合には、ディスクチェンジャによってディスク１からディスク２へとＤＶＤ１５を切り替える。その間にもディスクを準備する期間が必要であることから、その間の録画はＨＤＤ７によって行う（期間４０４）。ディスクの切り替えが終了し、ディスク２への記憶準備が完了すると、番組の録画はＨＤＤ７からＤＶＤ装置６へと切り替わり、ディスク２への記憶が行われる（期間３０５）。同様にディスク２からディスク３への切り替えの際にはＨＤＤ７での記憶が行われ（期間４０６）、ディスク３の準備が完了するとＨＤＤ７からＤＶＤ装置６へと番組の録画が切り替わり、ディスク３への記憶が行われる（期間３０７）。
【００２７】
このように記録再生装置を制御することによって、長時間の番組でも途切れることなく録画が可能となり、視聴者が長時間の番組を視聴する場合でも、ディスクの交換を意識することがなく連続して視聴可能となる。
【００２８】
ところで、上述した実施例において、この記録再生装置を継続して使用すると、ＨＤＤ７には多数の画像データや音声データがキャッシュとして記憶されるので、やがてＨＤＤ７のディスク容量が不足することとなる。そこで、ＨＤＤ７内の記憶データを消去する必要がある。例えば、画像データに属性を設け、優先順位を付す方法が考えられる。図６はＨＤＤ７に記憶されるデータに属性を設けた状態を示すもので、図６（ａ）に示す記録方法は番組の冒頭をＨＤＤ７に記憶し、その後ＤＶＤ１５にて記憶を行っているもので、このときＨＤＤ７に記憶されているデータには「１」というフラグを付す。また、図６（ｂ）に示す記録方法は番組の冒頭をＨＤＤ７とＤＶＤ１５の両方に記憶し、その後ＤＶＤ１５のみに記憶を行っているもので、このときＨＤＤ７に記憶されているデータには「２」というフラグを付す。更に、図６（ｃ）に示す記録方法は複数枚（この場合は２枚）のＤＶＤ１５に連続して番組を記憶する場合、冒頭及びディスク交換時の期間はＨＤＤ７に記憶し、ＨＤＤ７の冒頭部分が記憶されているデータには「３」というフラグを付し、ディスク交換時に記憶されているデータには「４」というフラグを付す。これらを比較すると、フラグ「２」を付したデータは同じデータがＤＶＤ１５にも記憶されていることから消去しても出画が遅くなるが特に支障がない。従って、消去時の優先順位を高く設定することができる。従って図６に示すように消去前のＨＤＤにあるフラグ「１」〜「４」の付されたデータの中からフラグ「２」を付されたデータを消去してＨＤＤの空き容量を確保する。
【００２９】
また、上述した条件に加えて、再生回数や記録時刻、視聴者によるプロテクトをかけることで優先順位を決定し、消去時の優先順位の高いものから消去を行うことでＨＤＤ７の容量を確保することができる。消去時の優先順位の例を高いものからまとめると、
（１）同じデータが他の記憶媒体に記憶されているもの
（２）記録時刻が古く、再生回数が多いもの
（３）記録時刻が古く、再生回数が０のもの
（４）記録時刻が新しく、再生回数が多いもの
（５）記録時刻が新しく、再生回数が０のもの
（６）視聴者によってプロテクトがかけられたもの
となる。このような優先順位に基づいてＨＤＤ７のデータを消去してもＨＤＤ７の空き容量が確保できない場合は、視聴者がＨＤＤ７内のデータから消去するものを選択することで、ＨＤＤ７の空き容量を確保する。
【００３０】
次に、図７を用いて本発明に係る記録再生装置の第二実施例の記録動作を説明する。なお、記録再生装置の構成は図１と同様である。前述した実施例では、データストリームの冒頭部分がＨＤＤ７に記録され、その後の部分がＤＶＤ１５に記録されることになる。しかし、ＨＤＤ７が何らかの原因で故障した場合、記録した番組を再生するときにＨＤＤ７に記録されたデータストリームの冒頭部分を読み出すことができなくなり、番組の冒頭部分が切れて再生されてしまう。また、冒頭部分を除いた番組が記録されたＤＶＤ１５を他の再生装置によって再生するときにも同様の問題が起こってしまう。
【００３１】
そこで、図７に示すように、ＤＶＤ装置６では、録画準備期間（図中Ａ部分）には、前述した実施例と同様にＨＤＤ７にデータストリームの冒頭部分を記録し、ＤＶＤ装置６での録画準備終了後、ＤＶＤ１５への録画を開始する（図中Ｂ部分）。このとき、直前までＨＤＤ７に記録した部分を再生し、ＤＶＤ装置６での録画を行う。これと同時に、ＤＶＤ装置６では現在放送中の番組のデータストリームも記録する。
【００３２】
そして、ＨＤＤ７に記録しておいたデータストリームを全てＤＶＤ１５に記録し終わると、ＤＶＤ装置６は、引き続いて現在放送中の番組のデータストリームを録画する（図中Ｃ部分）。このような動作を行うことにより、ＤＶＤ１５に番組を記録する際に、ＤＶＤ装置６の準備期間にＤＶＤ１５への記録が行われずに、番組の冒頭部分が欠けて記録されてしまうことがなく、番組の全てを記録することが可能となる。
【００３３】
この録画動作を図８のデータ容量の変化を示すグラフを用いて説明する。録画開始からＤＶＤ装置６の録画準備期間は外部ストリームをＨＤＤ７で記録する。ＤＶＤ装置６の録画準備が整ったらＨＤＤ７への記録を終了し、続いてＨＤＤ７は再生動作を開始し、ＤＶＤ装置６ではＨＤＤ７からのデータと外部ストリームの両方のデータを録画する。そのため、ＨＤＤ７の再生が終了するまでの期間は転送レートが上昇し、グラフの傾斜が大きくなる。
【００３４】
ＨＤＤ７の再生が終了すると、ＤＶＤ装置６では外部ストリームのみ（現在放送中の番組）の録画になり、グラフの傾斜は外部ストリームの傾斜と同一となる。
【００３５】
なお、上述した実施例では、ＨＤＤ７とＤＶＤ装置６を用いて説明したが、この他にも、アクセス速度と容量、媒体の価格等の条件に応じて様々な組み合わせが可能である。例えば、アクセス速度の速いものとしてはメモリ等も使用可能であり、アクセス速度は遅いが大容量で安価なものとしてＶＴＲ等がある。また、上述した記憶装置を３つ以上併用しても良いことはもちろんである。
【００３６】
【発明の効果】
以上、詳述したように、本発明に係る記録再生装置によれば、番組の録画開始時刻が予めわからない、突発的な番組録画を行う場合、番組の冒頭をアクセスの早い記録装置に記憶し、その後、アクセスの遅い記憶装置に記憶することで、視聴者が記録された番組を再生するときに素早い再生が可能となり、ストレスがなくなる。
【００３７】
また、録画時刻が予め分かっている番組を予約録画する場合には、番組の開始時刻前にアクセスの遅い記憶装置の記憶準備を行うことで、番組の冒頭部分がアクセスの早い記憶装置とアクセスの遅い記憶装置に記憶され、視聴者が記録された番組を再生するときに素早い再生が可能になると共に、アクセスの遅い記憶装置によって記憶が行われた記憶媒体を他の装置に可搬することが可能となる。
【００３８】
更に、アクセスの遅い記憶装置に使用する記憶媒体を交換している間のデータをアクセスの早い記憶装置に記憶することによって、長時間の番組を途切れることなく録画することが可能である。
【００３９】
また更に、アクセスの早い記憶装置に記録された番組の冒頭部分と、現在放送中の番組をアクセスの遅い記憶装置に同時に記憶することにより、アクセスの早い記憶装置が故障した場合でも番組の全てを再生することが可能となり、アクセスの遅い記憶装置に使用される媒体を他の再生装置に移動して再生した場合でも番組の全てを再生することが可能である。
【図面の簡単な説明】
【図１】本発明に係る記録再生装置を含むシステムを示す図である。
【図２】本発明に係る記録再生装置の一実施例を示すブロック図である。
【図３】本発明に係る記録再生装置における記録動作を示す図である。
【図４】本発明に係る記録再生装置における再生動作を示す図である。
【図５】本発明に係る記録再生装置における別の実施例の記録動作を示す図である。
【図６】本発明に係る記録再生装置においてＨＤＤに記憶されたデータに属性を設けた状態を示す図である。
【図７】本発明に係る記録再生装置の第二実施例における記録動作を示す図である。
【図８】本発明に係る記録再生装置の第二実施例における記録時のデータ容量の変化を示すグラフである。
【符号の説明】
１    放送衛星
２    放送アンテナ
３    放送受信機
４    ＴＶモニタ
５    記録再生装置
６    ＤＶＤ装置
７    ＨＤＤ
【図１】
0003644483.tif 000002
【図２】
0003644483.tif 000003
【図３】
0003644483.tif 000004
【図４】
0003644483.tif 000005
【図５】
0003644483.tif 000006
【図６】
0003644483.tif 000007
【図７】
0003644483.tif 000008
【図８】
0003644483.tif 000009